(57)【要約】【課題】  釣糸に取り付けられた多数の釣針に刺し餌を付けるための釣り用餌つけ器において、その餌つけの作業性を更に良くすることのできるようにすることである。【解決手段】  皿体（１０）と、該皿体（１０）の略中央に位置する餌置き部（１１）を囲う囲い体（２０（２１））とを有し、前記囲い体（２０）には、その上端から皿体の表面または該表面近傍に至る複数の隙間部（２２）が当該囲い体（２０）の全周にわたって略等間隔にて形成された構成となる。【選択図】  図１
2005176781.tif 000002
【特許請求の範囲】
【請求項１】
皿体と、
該皿体の略中央に位置する餌置き部を囲う囲い体とを有し、
前記囲い体には、その上端から皿体の表面または該表面近傍に至る複数の隙間部が当該囲い体の全周にわたって略等間隔にて形成されたことを特徴とする釣り用餌つけ器。
【請求項２】
前記囲い体は、４つ以上の前記隙間部が当該囲い体の全周にわたって略等間隔にて形成されたことを特徴とする請求項１記載の釣り用餌つけ器。
【請求項３】
前記囲い体は、前記餌置き部を略等間隔にて囲うように前記皿体から立設された複数の柱体にて構成され、隣接する柱体の間に前記隙間部が形成されたことを特徴とする請求項１または２記載の釣り用餌つけ器。
【請求項４】
前記柱体は、円柱体であることを特徴とする請求項３記載の釣り用餌つけ器。
【請求項５】
前記餌置き部は、中央部から周辺に向かって低くなる山型形状となることを特徴とする請求項１乃至４のいずれかに記載の釣り用餌つけ器。
【請求項６】
前記皿体は、前記囲い体の外側に該囲い体に沿って形成された凹溝を有することを特徴とする請求項１乃至５のいずれかに記載の釣り用餌つけ器。
【請求項７】
前記凹溝は、その幅方向に底面が湾曲していることを特徴とする請求項６記載の釣り用餌つけ器。
【請求項８】
前記凹溝の前記囲い体から遠方側の壁に少なくとも１つの切り欠きが形成されたことを特徴とする請求項６または７記載の釣り用餌つけ器。
【請求項９】
前記皿体は円盤状となり、前記囲い体は円形状の餌置き部を囲うことを特徴とする請求項１乃至８のいずれかに記載の釣り用餌つけ器。
【発明の詳細な説明】
【技術分野】
【０００１】
本発明は、釣り用餌つけ器に係り、詳しくは、釣糸に取り付けられた多数の釣針に刺し餌を付けるための釣り用餌つけ器に関する。
【背景技術】
【０００２】
チカ釣り等の中小魚を対象とした釣りの手法として、釣糸に多数の釣針を取り付けるサビキ釣りがある。従来、サビキ釣りの際に多数の釣針に効率よくアミエビなどの餌を付けるための餌つけ器が提案されている（例えば、特開２００１−３３３６７９号公報参照）。この従来の釣り用餌つけ器では、図４に示すように、外側が概ね円筒状に形成された側壁１によって刺し餌が投入される底部２が囲まれており、側壁１の相対する位置に、底部２の近くまで達する切込み３が側壁１の一部を形成する円柱部１ａで区切られてそれぞれ２つずつ設けられている。側壁１はその上端縁１ｂが各切込み３の上端縁に向かって傾斜するように形成され、側壁１の内側面には底部２の円形の中央部２ａに向かって低くなる傾斜部１ｄが形成されている。そして、側壁１にて囲まれる底部２にアミエビ等の刺し餌を投入した状態で、多数の釣針が取り付けられた釣糸を相対する切込み３を通過させることにより、各釣針に満遍なく餌が付けられる。
【０００３】
このような従来の釣り用餌つけ器によれば、釣糸を側壁１の上端縁１ｂに沿わせて相対する切込み３にスムーズに導き入れることが可能となると共に、側壁１の内側面に形成された傾斜面１ｄに沿って刺し餌が底部２の中央部２ａに集まるので、刺し餌が少量になっても釣糸の各釣針に餌を効率よく付けることが可能となる。また、側壁１の相対する位置にそれぞれ２つの切込み３が形成されているので、釣糸が通過可能な切込み３の組み合わせが４通りとなり、刺し餌が集まった底部２の中央部２ａ付近に満遍なく釣糸を通過させることができるようになる。
【０００４】
【特許文献１】特開２００１−３３３６７９号公報
【発明の開示】
【発明が解決しようとする課題】
【０００５】
ところで、前述したような従来の釣り用餌つけ器では、あくまでも側壁の相対する位置に切込みが形成されている。従って、釣り人が釣糸を切込みに通過させ易い餌つけ器の向きが限られている。このため、複数の釣り人が１つの餌つけ器を共用する場合や、釣り人が向きを様々に変えて釣りをする場合等では、釣り人が釣糸を切込みに通過させ易い向きに餌つけ器をいちいち動かさなければならず、その餌つけの作業性が必ずしもよくない。
【０００６】
本発明はこのような従来の問題に鑑みてなされたもので、餌つけの作業性を更に良くすることのできる釣り用餌つけ器を提供するものである。
【課題を解決するための手段】
【０００７】
本発明に係る釣り用餌つけ器は、皿体と、該皿体の略中央に位置する餌置き部を囲う囲い体とを有し、前記囲い体には、その上端から皿体の表面または該表面近傍に至る複数の隙間部が当該囲い体の全周にわたって略等間隔にて形成された構成となる。
【０００８】
このような構成により、囲い体の全周にわたって略等間隔にて形成された複数の隙間部のうちの２つの隙間部に釣糸を通した際に、該囲い体にて囲まれる餌置き部に置かれた刺し餌を前記釣糸に取り付けられた複数の釣針につけることができる。また、囲い体の全周にわたって形成された複数の隙間部から釣糸を通すべき２つの隙間部を変えることにより、その作業方向を変えることができる。
【０００９】
また、本発明に係る釣り用餌つけ器は、前記囲い体が、４つ以上の前記隙間部が当該囲い体の全周にわたって略等間隔にて形成された構成とすることができる。
このような構成により、囲い体の全周にわたって略等間隔にて４つ以上の隙間部が形成されるので、釣糸を通すべき２つの隙間部の組み合わせを、少なくとも４つの隙間部から選択することができる。
【００１０】
更に、本発明に係る釣り用餌つけ器は、前記囲い体が、前記餌置き部を略等間隔にて囲うように前記皿体から立設された複数の柱体にて構成され、隣接する柱体の間に前記隙間部が形成された構成とすることができる。
このような構成により、複数の柱体を略等間隔にて餌置き部を囲むことによって囲い体が形成されることとなる。
【００１１】
本発明に係る釣り用餌つけ器は、前記柱体が、円柱体である構成とすることができる。
このような構成により、釣糸をよりスムーズに隣接する柱体の間の隙間部に通すことができるようになる。
【００１２】
また、本発明に係る釣り用餌つけ器は、前記餌置き部が、中央部から周辺に向かって低くなる山型形状となる構成とすることができる。
このような構成により、餌置き部に置かれた刺し餌に含まれる水分を皿体の周辺に導くことができるようになる。
【００１３】
更に、本発明に係る釣り用餌つけ器は、前記皿体が、前記囲い体の外側に該囲い体に沿って形成された凹溝を有する構成とすることができる。
このような構成により、釣糸を２つの隙間部を通す際に囲い体の外側に出てしまった刺し餌を凹溝で受けることができ、その刺し餌を容易に回収することができるようになる。
【００１４】
また、本発明に係る釣り用餌つけ器は、前記凹溝が、その幅方向に底面が湾曲している構成とすることができる。
このような構成により、凹溝内の刺し餌を指により容易に回収することができるようになる。
【００１５】
更に、本発明に係る釣り用餌つけ器は、前記凹溝の前記囲い体から遠方側の壁に少なくとも１つの切り欠きが形成された構成とすることができる。
このような構成により、凹溝に溜まった刺し餌をその切り欠きから容易に排出することが可能となる。
本発明に係る釣り用餌つけ器は、前記皿体は円盤状となり、前記囲い体は円形状の餌置き部を囲う構成とすることができる。
【発明の効果】
【００１６】
本発明に係る釣り用餌つけ器によれば、囲い体の全周にわたって形成された複数の隙間部から釣糸を通すべき２つの隙間部を変えることにより、餌つけ作業の方向を種々変えることができるようになるので、餌つけの作業性を更に良くすることが可能となる。
【発明を実施するための最良の形態】
【００１７】
以下、本発明の実施の形態について、図面に基づいて説明する。
本発明の実施の形態に係る釣り用餌つけ器は図１乃至図３に示すように構成される。図１は本発明の実施の形態に係る釣り用餌つけ器の外観を示す斜視図、図２は本発明の実施の形態に係る釣り用餌つけ器の平面図、図３は図１におけるＡ−Ａ断面図である。
【００１８】
図１乃至図３において、この釣り用餌つけ器は、円盤状となるステンレス製の皿体１０と、皿体１０の略中央に位置する略円形状の餌置き部１１を囲う囲い体２０とを有している。囲い体２０は複数の円柱棒２１にて構成され、その複数の円柱棒２１が略等間隔にて皿体１０の餌置き部１１を囲むように立設されている。このように囲い体２０としての複数の円柱棒２１が略等間隔にて餌置き部１１を囲むように配列される結果、隣接する円柱棒２１の間にその円柱棒２１の長さに相当する長さの隙間部、即ち、囲い体２０の上端から皿体１０の表面に至る隙間部２２が形成され、その隙間部２２が囲い体２０の全周にわたって形成されることとなる（図２参照）。
【００１９】
皿体１０には、餌置き部１１を囲むように略等間隔にて配列された複数の円柱棒２１にて構成される囲い体２０の外側にその囲い体２０に沿って凹溝１２が形成されている。凹溝１２はその幅方向に底面が湾曲した構造となり（図３参照）、凹溝１２の囲い体２０から遠方側の壁の所定位置には切り欠き１３が形成されている。凹溝１２の外周縁は更に外側に湾曲して折曲形成されている。また、皿体１０の餌置き部１１は中央部から周辺部に向かって低くなる山型形状となっている（図３参照）。また、囲い体２０を構成する各円柱棒２１は樹脂製のパイプ２１ａにて形成され、この樹脂製のパイプ２１ａがそのパイプ２１ａ内を通るボルト２１ｂとナット２１ｃにより皿体１０における餌置き部１１の周辺部に固定されている（図３参照）。
【００２０】
このような構造の釣り用餌つけ器では、囲い体２０（複数の円柱棒２１）にて囲まれる餌置き部１１に刺し餌を投入した状態で、囲い体２０の全周にわたって形成される複数の隙間部２２のうちのいずれか２つの隙間部２２に釣糸を通すことにより、餌置き部１１に置かれた刺し餌をその釣糸に取り付けられた複数の釣針に付けることができる。囲い体２０の全周にわたって隙間部２２が形成されているので、餌つけ器がどのような方向を向いていても、餌つけ器の向きを変えることなく、その餌つけ作業を釣り人のやり易い方向にて行なうことができる。
【００２１】
餌置き部１１に投入された刺し餌に含まれた水分は、山型形状となる餌置き部１１の周辺部に向かって自然に流れ、皿体１０の周辺部に形成された凹溝１２にて受け止められる。また、釣糸を２つの隙間部２２を通す際にその釣糸と共に囲い体２０（複数の円柱棒２１）の外側に引き出された余分な刺し餌も凹溝１２にて受け止められる。これにより、餌つけ器の周囲を刺し餌によって汚染することを極力防止することができる。そして、凹溝１２に溜まった水分の混じった刺し餌は、底面が湾曲した凹溝１２内を指によってさらうことにより容易に集めることができ、更に、その集められた刺し餌は切り欠き１３から別の容器に容易に移すことができる。
【００２２】
上述した実施の形態では、囲い体２０は、略等間隔にて配列された複数の円柱棒２１にて構成されたが、このような構成に限定されることはない。例えば、餌置き部１１を囲う樹脂製の円柱体にその円柱体の全周にわたってスリット（隙間部）を形成した構造とすることも、また、略等間隔に配列された複数の円柱棒２１をそれらを連結する部分とともに樹脂によって一体的に構成することも可能である。この場合、その囲い体２０と皿体１０とを樹脂により更に一体的に構成することも可能である。また、円柱棒２１に代えて断面が任意の形状となる柱体を複数用いることにより囲い体２０を構成することもできる。
【００２３】
囲い体２０の各隙間部２２（スリット）は、囲い体２０の上端から必ずしも皿体１０の表面に至るものでなくても、少なくとも、皿体１０の表面近傍に至るものであればよい。ただし、餌置き部１１に投入された刺し餌を無駄なく釣針につけることができるという観点からは、各隙間部２２は皿体１０の表面に至る構造であることが好ましい。
また、上述した実施の形態では、皿体１０はステンレスにて構成されたものであったが、これに限定されず、樹脂にて構成することも可能である。
【産業上の利用可能性】
【００２４】
以上、説明したように、本発明に係る釣り用餌つけ器は、餌つけの作業性を更に良くすることのできるという効果を有し、釣糸に取り付けられた多数の釣針に刺し餌を付けるための釣り用餌つけ器として有用である。
【図面の簡単な説明】
【００２５】
【図１】本発明の実施の形態に係る釣り用餌つけ器を示す斜視図である。
【図２】本発明の実施の形態に係る釣り用餌つけ器を示す平面図である。
【図３】図１のＡ−Ａ断面図である。
【図４】従来の釣り用餌つけ器の一例を示す図である。
【符号の説明】
【００２６】
１０  皿体
１１  餌置き部
１２  凹溝
１３  切り欠き
２０  囲い体
２１  円柱棒
２１ａ  パイプ
２１ｂ  ボルト
２１ｃ  ナット
２２  隙間部
【図１】
2005176781.tif 000003
【図２】
2005176781.tif 000004
【図３】
2005176781.tif 000005
【図４】
2005176781.tif 000006